(57)【要約】【課題】通常動画を録画する第一の録画媒体と通常静止画を録画する第二の録画媒体を有するビデオカメラに於いて、該録画媒体の切換えスイッチが知らないうちに第二の録画媒体になっていて、撮影者が第一の録画媒体のつもりで第二の録画媒体に動画を撮ってしまう間違いを防ぐ。【解決手段】第一の録画媒体への録画と第二の録画媒体への録画を変位位置により切り換える手動操作部材を有し、該操作部材の変位位置が示す録画媒体は、カメラ筐体外側が第二の録画媒体で、カメラ筐体内側が第一の録画媒体である録画媒体切換えスイッチ。【選択図】        図１
2006186818.tif 000002
【特許請求の範囲】
【請求項１】
通常動画を録画する第一の録画媒体と通常静止画を録画する第二の録画媒体を有し、該録画媒体を選択して録画可能なビデオカメラに於いて、前記第一の録画媒体への録画と前記第二の録画媒体への録画を変位位置により切り換える手動操作部材を有し、該操作部材の変位位置が示す録画媒体は、カメラ筐体外側が第二の録画媒体で、カメラ筐体内側が第一の録画媒体であることを特徴とする録画媒体切換えスイッチ。
【請求項２】
請求項１に記載のカメラに於いて、第一の録画媒体はテープであり、第二の録画媒体はカードであることを特徴とする録画媒体切換えスイッチ。
【請求項３】
請求項１に記載のカメラに於いて、第一の録画媒体はＤＶＤであり、第二の録画媒体はカードであることを特徴とする録画媒体切換えスイッチ。
【請求項４】
請求項１に記載のカメラに於いて、第一の録画媒体はハードディスクであり、第二の録画媒体はカードであることを特徴とする録画媒体切換えスイッチ。
【請求項５】
請求項１に記載の録画媒体切換えスイッチに於いて、前記操作部材の操作力は第一の録画媒体位置から第二の録画媒体位置への変位時の操作力の方が第二の録画媒体位置から第一の録画媒体位置への変位時の操作力より大きいことを特徴とする録画媒体切換えスイッチ。
【請求項６】
第一の録画媒体と第二の録画媒体を有し、該録画媒体を選択して録画可能なビデオカメラに於いて、回転変位して前記第一の録画媒体への録画と前記第二の録画媒体への録画を切り換える手動操作部材と、該操作部材の回転中心にそれぞれの録画媒体への静止画撮影スイッチを有することを特徴とするカメラの録画媒体切換えスイッチ。
【発明の詳細な説明】
【技術分野】
【０００１】
本発明はカメラの録画媒体を切り換えるスイッチで、特に手動操作により変位させることで切り換える録画媒体切換えスイッチに関する。
【背景技術】
【０００２】
従来から動画の録画媒体としてテープを用いたビデオカメラが使用されており、このテープには静止画を記録することも行われてきた。近年、テープに加えて録画可能な小型のカードも装着可能なカメラが作られ、テープへの静止画より高画質な静止画をカードに記録することが広く行われている。さらにまた最近、該カードへの動画録画も行われるようになった。しかし、動画の録画には大きな記憶容量が必要で該カードへの動画録画可能時間はテープより短時間になる。これらのことを勘案して、テープ、カード二つの録画媒体を持つビデオカメラにおいては、それぞれの録画媒体に動画、静止画とも記録可能であるが、通常は動画をテープに録画し、特に写真として撮りたいときに静止画をカードに録画している。上述の録画媒体の選択は手動操作スイッチで切り換えることが多く、特に外観上からもそのスイッチの位置で選択中の録画媒体が分かりやすいようにスイッチが変位して切り換えるものが多い。
【０００３】
最近は、上述したテープに変わって長時間用の録画媒体としてＤＶＤやハードディスクを用いた製品もあり、録画媒体は種々のものが用いられている。
【０００４】
ビデオカメラの動画録画スタート／ストップ  スイッチは親指操作を基本とし、従来からカメラ筐体後面に配置されることが多く、静止画録画スイッチはスチルカメラのように人差し指操作を基本としてカメラ筐体上面に配置されることが多い。これらのスタート／ストップ  スイッチは録画媒体によらずテープでもカードでも、動画録画は親指操作、静止画録画は人差し指操作となっていることが多い。つまり、動画と静止画で異なる指の操作で記録を行うものがある（特許文献１参照）。
【特許文献１】特開平０９−１８６９１３号公報
【発明の開示】
【発明が解決しようとする課題】
【０００５】
上述の手動操作による録画媒体切り替えスイッチは、撮影者が操作し易いカメラ筐体上の適切な位置に配置される。この手動操作スイッチは、撮影者の意思によって切り換えるものであるが、まれには意図せず切り替わってしまうことがある。例えば、撮影が終了してカメラをバッグなどに収納する時に、指でスイッチに不用意に触れてしまったり、スイッチがバッグ内の収納物やバッグ自体の内面に触れるなどして撮影者が気づかないうちに切り替わってしまうことがある。このような場合、次の撮影時にスイッチの確認をしないと撮影者の意図しない状態で撮影が進んでしまうことになる。ビデオカメラでの撮影で最も多いのはテープへの動画録画で、撮影者は特に他のことを意図しない時は、この状態のつもりでいることが多い。そのため、撮影者が意図しないのにカード録画位置になっていると、テープへの動画録画のつもりなのにカードへの動画録画になってしまう間違いがおきる。ビデオカメラでのカードへの録画は一時的なことが多く、撮影者は意図してカード録画への切り換えを行うため、カードへの録画のつもりなのにテープへ録画してしまう間違いは比較的起こりにくい。
【０００６】
上述の事情に鑑みると、テープとカードの録画媒体切換えスイッチが誤操作で切り換わってしまう場合には、カードになっているよりもテープになっている方が被害が少ない。即ち、前記手動操作による録画媒体切換えスイッチは、テープからカードへの変位の方がカードからテープへの変位より起こりにくくなっていることが望ましい。
【課題を解決するための手段】
【０００７】
上述の課題を解決する為、第一の発明は、通常動画を録画する第一の録画媒体と通常静止画を録画する第二の録画媒体を有し、該録画媒体を選択して録画可能なビデオカメラに於いて、前記第一の録画媒体への録画と前記第二の録画媒体への録画を変位位置により切り換える手動操作部材を有し、該操作部材の変位位置が示す録画媒体は、カメラ筐体外側が第二の録画媒体で、カメラ筐体内側が第一の録画媒体であることを特徴とする録画媒体切換えスイッチである。
【０００８】
第二の発明は、前記第一の録画媒体はテープであり、第二の録画媒体はカードであることを特徴とする録画媒体切換えスイッチである。
【０００９】
第三の発明は、前記第一の録画媒体はＤＶＤであり、第二の録画媒体はカードであることを特徴とする録画媒体切換えスイッチである。
【００１０】
第四の発明は、前記第一の録画媒体はハードディスクであり、第二の録画媒体はカードであることを特徴とする録画媒体切換えスイッチである。
【００１１】
第五の発明は、前記操作部材の操作力は第一の録画媒体位置から第二の録画媒体位置への変位時の操作力の方が第二の録画媒体位置から第一の録画媒体位置への変位時の操作力より大きいことを特徴とする録画媒体切換えスイッチである。
【００１２】
第六の発明は、第一の録画媒体と第二の録画媒体を有し、該録画媒体を選択して録画可能なビデオカメラに於いて、回転変位して前記第一の録画媒体への録画と前記第二の録画媒体への録画を切り換える手動操作部材と、該操作部材の回転中心にそれぞれの録画媒体への静止画撮影スイッチを有することを特徴とするカメラの録画媒体切換えスイッチである。
【発明の効果】
【００１３】
第一の発明によれば、録画媒体切換えスイッチが撮影者の意図と関係なく変位してしまう場合に、通常、動画を記録する第一の録画媒体を選択する可能性が高いので、第一の録画媒体を使用しているつもりで第二の録画媒体に記録してしまう間違いが起こりにくい。
【００１４】
第二の発明によれば、通常、動画を録画する第一の録画媒体がテープで、通常、静止画を録画する第二の録画媒体がカードである組み合わせに適用できる。
【００１５】
第三の発明によれば、通常、動画を録画する第一の録画媒体がＤＶＤで、通常、静止画を録画する第二の録画媒体がカードである組み合わせに適用できる。
【００１６】
第四の発明によれば、通常、動画を録画する第一の録画媒体がハードディスクで、通常、静止画を録画する第二の録画媒体がカードである組み合わせに適用できる。
【００１７】
第五の発明によれば、手動操作スイッチは、第一の録画媒体位置から第二の録画媒体位置への変位の方が、第二の録画媒体位置から第一の録画媒体位置への変位より移動しにくい為、誤動作でスイッチが変位する場合に第一の録画媒体位置になる可能性が高く、第一の録画媒体を使用しているつもりで第二の録画媒体に記録してしまう間違いが起こりにくい。
【００１８】
第六の発明によれば、第一の録画媒体、第二の録画媒体それぞれへの静止画撮影スイッチが共通で且つ前記切換えスイッチと一体の配置となるので、撮影者に分かりやすくまたスペース上も効率的なものとなる。
【発明を実施するための最良の形態】
【００１９】
以下に図面を使用して詳細を説明する。
【実施例１】
【００２０】
図１は本発明を実施したビデオカメラの全体図で１はビデオカメラ本体でビデオテープとカードの２種類の録画媒体を使用可能である。２はテープ開閉蓋でこれを開閉してテープを出し入れする。３はメインスイッチで回転することで録画モードと再生モードの選択を行うとともに電源のオンオフを行う。４は動画録画のスタート／ストップ  スイッチで撮影時に撮影者の親指で操作し易い位置に配置されている。５はテープ／カード切換えスイッチとしての操作部材で指で操作する操作部５ａが形成され回転可能になっており、手動操作により回転してカメラの外側の位置と内側の位置に変位可能で、操作部が外側がカード、内側がテープを指示するようになっている。図１では内側のテープ位置になっている。６は静止画撮影ボタンで前記切換えスイッチの回転中心位置に配置され、テープの場合もカードの場合も押圧することでそれぞれの録画媒体に静止画撮影が行われる。テープ、カードへの静止画撮影スイッチが共通で且つ前記切り換えスイッチと一体の配置となるので、撮影者に分かりやすくまたスペース上も効率的なものとなる。
【００２１】
図２は図１のビデオカメラの開閉部を開けた状態の図で、７は液晶パネルで撮影画像、再生画像を表示する。８はカード開閉蓋でこれを開閉してカードを出し入れする。９はテープ、１０はカードでそれぞれの挿入方向を示している。
【００２２】
図３は切換えスイッチが外側のカード位置になった状態のビデオカメラを真上から見た図である。切換えスイッチが外側にあると、撮影時以外の取り扱いやバッグへの収納時などに周りのものと接触して該スイッチが内側に動いてしまうことがある。内側に位置した状態のスイッチが外側に動くことはごく希である。
【００２３】
図４は切換えスイッチ部の詳細構成を示した分解斜視図で、２は前記テープ開閉蓋の一部を示し、１個の円形の孔と２個の円弧状の孔が開いている。１１は支持板で操作部材から延びた円柱部が前記テープ開閉蓋の円弧状孔を通って該支持板の孔に挿入固着され一体となって回転する。１２はクリック板ばねで支持板に平面部を固定され一体に回転する。クリック板ばねはばね部を有しその先端部１２ａがテープ開閉蓋の凹部に落ち込んでクリック感を出す。１３は金属製の接片で平面部を支持板に固定され、一体に回転し二股に分かれた先端は基板上に接している。１４は静止画撮影スイッチで基板１５上に実装されており、静止画撮影ボタン６の真下に位置して該ボタンの押し下げによりスイッチが入る。１５は切換えスイッチ周辺のみを示した基板である。基板上にはパターン１５ａ，１５ｂがあり前記接片の二股に分かれた先端がそれぞれ接触可能である。１５ａはグランドパターンで、１５ｂはテープ、カードの切り換え信号パターンで信号がグランド（ロー）だとテープを選択し、ハイだとカードを選択する信号となる。
【００２４】
図５、図６は操作部材、接片と基板のパターンの位置関係を示した図で図５がテープ選択状態、図６がカード選択状態を表す。図５のように操作部材が時計方向に回転して操作部が内側を向くと接片は操作部材と一体に回転してパターン１５ａと１５ｂ双方に接触する位置になりテープ選択信号となる。図６のように操作部材が反時計方向に回転して操作部が外側を向くと接片は操作部材と一体に回転してパターン１５ｂがグランドから離れハイとなり、カード選択信号となる。
【００２５】
図７は図４を裏側から見た分解斜視図でテープ開閉蓋には凸部２ａ、浅い凹部２ｂと深い凹部２ｃがあり、前記クリック板ばねの先端部１２ａが当接する。
【００２６】
図８、図９はテープ選択時、カード選択時のクリック板ばねと開閉蓋の凹部との関係を示した図である。図８は操作部材がカメラ内側にあるテープ選択時で、クリック板ばね先端部は開閉蓋の深い凹部に落ち込んでいる。図９は操作部材がカメラ外側にあるカード選択時で、クリック板ばねの先端部は開閉蓋の浅い凹部に落ち込んでいる。凹部に落ち込んでいるクリック板ばねが回転して凹部から脱出する操作力は当然深い凹部からの脱出の方が浅い凹部からの脱出より大きな力が必要である。
【００２７】
撮影者がビデオカメラで撮影する場合、先ず、テープ、カードを本体にセットし、多くの場合はテープ／カード切換えスイッチの操作部材を内側のテープ位置に動かした後スタート／ストップ  スイッチを押してテープへの動画撮影を行う。カードに録画する場合は撮影者が意識して前記切換えスイッチの操作部材を外側のカード位置へ動かした後、静止画を撮影する時は静止画撮影ボタンを押し、カード動画を撮影する時はスタート／ストップ  スイッチを押す。テープへの静止画録画はカード使用可能な場合カードの方が高画質で記録できるのであまり行われなくなった。前記操作部材は撮影時以外の取り扱い時、特にバッグに入れる時などに手やバッグ内面などに触れて外側にあったものが内側に移動してしまうことがあるが、内側にあったものが外側には移動しづらい。また、内側のテープ位置から脱出するには外側のカード位置から脱出するより大きな力が必要でやはり誤操作で動いてしまう場合でもテープ位置になる可能性が高くなる。
【００２８】
上述のように、撮影者が意図しないのにカード録画位置になっていると、テープへの動画録画のつもりなのにカードへの動画録画になってしまう間違いがおきるため、撮影者が意識せずに録画媒体が変化してしまう場合はテープになる方が被害が少ない。
【図面の簡単な説明】
【００２９】
【図１】本発明を実施したビデオカメラの全体図
【図２】図１のビデオカメラの開閉部を開けた状態の図
【図３】切換えスイッチが外側のカード位置になった状態のビデオカメラを真上から見た図
【図４】切換えスイッチ部の詳細構成を示した分解斜視図
【図５】テープ選択時の操作部材、接片と基板のパターンの位置関係を示した図
【図６】カード選択時の操作部材、接片と基板のパターンの位置関係を示した図
【図７】図４を裏側から見た分解斜視図
【図８】テープ選択時のクリック板ばねと開閉蓋の凹部との関係を示した図
【図９】カード選択時のクリック板ばねと開閉蓋の凹部との関係を示した図
【符号の説明】
【００３０】
１  ビデオカメラ本体
２  テープ開閉蓋
３  メインスイッチ
４  スタート／ストップ  スイッチ
５  操作部材
６  静止画撮影ボタン
７  液晶パネル
８  カード開閉蓋
９  テープ
１０  カード
１１  支持板
１２  クリック板ばね
１３  接片
１４  静止画撮影スイッチ
１５  基板
【図１】
2006186818.tif 000003
【図２】
2006186818.tif 000004
【図３】
2006186818.tif 000005
【図４】
2006186818.tif 000006
【図５】
2006186818.tif 000007
【図６】
2006186818.tif 000008
【図７】
2006186818.tif 000009
【図８】
2006186818.tif 000010
【図９】
2006186818.tif 000011